(57)【要約】【課題】大きさの異なる各種商品を低コストで収納し搬出することができ、さらに商品変更時の作業を容易に行う。【解決手段】各種大きさの商品Ｓを専用に収納し、当該商品Ｓ上下方向に整列して収納した商品収納部５Ａと、商品収納部５Ａを複数重ねて連結する形態で着脱可能に取り付けて商品収納部５Ａに収納された商品を下側から１つずつ切り出して搬出するベンド機構６を有したベース４と、商品収容庫１ａ内にベース４を複数並べて支持して当該ベース４を商品収容庫１ａの外部に引き出し可能にした引出手段７とを備える。すなわち、ベース４が共通となり、商品収納部５Ａで各種大きさの商品Ｓに対応するので、大きさの異なる各種商品Ｓを低コストで収納し搬出できる。また、商品Ｓの収納・変更時には、引出手段７を介してベース４を商品収容庫１ａの外部に引き出した後に商品収納部５Ａを取り付けあるいは換えるだけなので作業を容易に行うことができる。【選択図】        図３
2005038336.tif 000002
【特許請求の範囲】
【請求項１】
各種大きさの商品を専用に収納し、かつ当該商品を上下方向に整列して収納した商品収納部と、
前記商品収納部を上下に複数重ねて連結する形態で着脱可能に取り付け、当該商品収納部に収納された商品を下側から１つずつ切り出して搬出するベンド機構を有したベースと、
自動販売機の商品収容庫内に前記ベースを複数並べて支持し、当該ベースを前記商品収容庫の外部に引き出し可能に設けた引出手段と
を備えたことを特徴とする自動販売機の商品収納ラック。
【請求項２】
前記ベースに取り付けた後に前記商品を収納する別の商品収納部を備え、当該別の商品収納部と前記商品収納部とを選択的に前記ベースに取り付けることを特徴とする請求項１に記載の自動販売機の商品収納ラック。
【請求項３】
前記別の商品収納部は、少なくとも一方の側部に開閉可能な作業口を有していることを特徴とする請求項２に記載の自動販売機の商品収納ラック。
【請求項４】
前記ベースは、相反する両側に前記ベンド機構を有し、その両側に前記商品収納部あるいは別の商品収納部を着脱可能にして取り付けることを特徴とする請求項１〜３のいずれか一つに記載の自動販売機の商品収納ラック。
【発明の詳細な説明】
【技術分野】
【０００１】
本発明は、飲料を入れた缶、びん、紙パックおよびペットボトルなどの各種商品を収納して販売する自動販売機の商品収納ラックに関するものである。
【背景技術】
【０００２】
従来、同じラックを使い分けて通常サイズの缶、びん、紙パック商品、および大形サイズのペットボトル商品を販売できるように改良した自動販売機の商品収納ラックが知られている。その一例としては、ラックケースのコラムを通常サイズの商品のｎ（ｎ≦２）個分に相応した横幅に設定するとともに、該コラムに対応してｎ基のベンド機構を左右に組み合わせたｎ連形ベンド機構を装備している。そして、通常サイズの商品はｎ連形ベンド機構と個々に対応するようにｎ列に分けてコラム内に積み上げ収納して各基ベンド機構を選択制御して各商品を個々に搬出し、大形サイズの商品はｎ連形ベンド機構の各基ベンド機構にまたがってコラム内に積み上げ収納して各基ベンド機構を同期制御して搬出する（例えば、特許文献１参照）。
【０００３】
【特許文献１】特開２００２−１８３８２２号公報
【発明の開示】
【発明が解決しようとする課題】
【０００４】
しかしながら、従来の自動販売機の商品収納ラックでは、大きさの異なる各種商品を収納し適宜搬出するために収納商品のサイズに合わせる可調整式の通路規制板を全てのコラムに設ける必要があるので部品点数が多くなりコストが嵩んでしまうという問題がある。また、商品のサイズ変更時には、上記通路規制板を調整しなければならないので作業に手間がかかるという問題がある。
【０００５】
本発明は、上記実情に鑑みて、大きさの異なる各種商品を低コストで収納し搬出することができ、さらに商品変更時の作業を容易に行うことができる自動販売機の商品収納ラックを提供することを目的とする。
【課題を解決するための手段】
【０００６】
上記の目的を達成するために、本発明の請求項１に係る自動販売機の商品収納ラックは、各種大きさの商品を専用に収納し、かつ当該商品を上下方向に整列して収納した商品収納部と、前記商品収納部を複数重ねて連結する形態で着脱可能に取り付け、当該商品収納部に収納された商品を下側から１つずつ切り出して搬出するベンド機構を有したベースと、自動販売機の商品収容庫内に前記ベースを複数並べて支持し、当該ベースを前記商品収容庫の外部に引き出し可能に設けた引出手段とを備えたことを特徴とする。
【０００７】
また、本発明の請求項２に係る自動販売機の商品収納ラックは、上記請求項１において、前記ベースに取り付けた後に前記商品を収納する別の商品収納部を備え、当該別の商品収納部と前記商品収納部とを選択的に前記ベースに取り付けることを特徴とする。
【０００８】
また、本発明の請求項３に係る自動販売機の商品収納ラックは、上記請求項２において、前記別の商品収納部は、少なくとも一方の側部に開閉可能な作業口を有していることを特徴とする。
【０００９】
また、本発明の請求項４に係る自動販売機の商品収納ラックは、上記請求項１〜３のいずれか一つにおいて、前記ベースは、相反する両側に前記ベンド機構を有し、その両側に前記商品収納部あるいは別の商品収納部を着脱可能にして取り付けることを特徴とする。
【発明の効果】
【００１０】
本発明の請求項１に係る自動販売機の商品収納ラックによれば、ベースを共通とし、商品収納部で各種大きさの商品に対応しているため、大きさの異なる各種商品を低コストで収納し適宜搬出することができる。そして、商品変更時には、商品収納部を換えるだけなので作業を容易に行うことができる。また、ベースが商品収容庫から引き出せるので、商品収容庫の奥側へのアクセスが容易となり商品の収納および回収の他に販売トラブル時の対応やメンテナンスなどの作業性を向上することができる。さらに、ベースが商品収容庫から引き出せるので、商品収容庫の奥行き方向に多重化してベースを設けて、多種多数の商品の収納ができる。また、商品収納部以外が共通部品であるため、少種大量生産効果による部品コストを低減でき安価な自動販売機を提供することができ、かつベースの数を変えるだけで自動販売機のシリーズ化を図ることができる。
【００１１】
本発明の請求項２に係る自動販売機の商品収納ラックによれば、商品収納部と別の商品収納部とをベースに対して選択的に取り付ける。すなわち、商品が商品収納部に収納されている場合には商品収納部を採用し、商品が商品収納部に収納されていない場合には別の商品収納部を採用する汎用性を有することができる。
【００１２】
本発明の請求項３に係る自動販売機の商品収納ラックによれば、別の商品収納部が少なくとも一方の側部の壁体に開閉可能な作業口を有し、当該作業口から商品の収納あるいは回収を行う。すなわち、商品を上部から収納する構成では商品が起立した状態で収納されるおそれがあるが、商品を側部から収納するために安定した姿勢で商品の収納を行うことができ、さらに商品の回収を容易に行うことができる。
【００１３】
本発明の請求項４に係る自動販売機の商品収納ラックによれば、相反する両側にベンド機構を有し、その両側に商品収納部あるいは別の商品収納部を着脱可能にして取り付けるベースを有しているためベースの部品点数が少なくなる。この結果、商品収納ラックおよび自動販売機の低コスト化、小型化および軽量化が可能になる。また商品収納ラックを軽量化することにより、引出手段の定格荷重を小さくでき安価な引出手段を適用することができる。
【発明を実施するための最良の形態】
【００１４】
以下に添付図面を参照して、本発明に係る自動販売機の商品収納ラックの好適な実施例を詳細に説明する。なお、この実施例によりこの発明が限定されるものではない。
【実施例１】
【００１５】
図１は実施例１における自動販売機の商品収納ラックを示す正面断面図、図２は実施例１における自動販売機の商品収納ラックを示す側断面図、図３はベースを商品収容庫から引き出した状態を示す側断面図である。
【００１６】
図１および図２に示すように、実施例１における商品収納ラックを有する自動販売機は、本体キャビネット１と外扉２とを備えている。本体キャビネット１は、複数の鋼板を適宜組み合わせることによって構成したもので、正面側が開口した直方状をなしている。
【００１７】
外扉２は、本体キャビネット１の正面開口部を覆うに十分な大きさを有したもので、鋼材により堅牢に構成してある。外扉２は、本体キャビネット１の開口部を開閉可能にする態様で当該本体キャビネット１の開口部の一側に支承してある。また、図には明示しないが、外扉２の表側には、商品見本を展示する展示室と、展示した商品を選択する選択ボタンと、硬貨を投入する硬貨投入口と、紙幣を投入する紙幣投入口と、商品を取り出すための商品取出口と、硬貨を返却する硬貨返却口とが配設してある。さらに、外扉２の内側には、自動販売機を制御する制御基板と、硬貨投入口から硬貨を受け入れて釣銭を硬貨返却口に放出する硬貨処理装置と、紙幣投入口から紙幣を受け入れる紙幣処理装置とが配設してある。
【００１８】
上記本体キャビネット１の内部には、商品収容庫１ａが設けてある。商品収容庫１ａは、飲料を入れた缶、びん、紙パックおよびペットボトルなどの各種商品Ｓを所望の温度に維持した状態で収容するために断熱構造を有している。この商品収容庫１ａは、本体キャビネット１と同様に正面側を開口してある。また、図には明示しないが、商品収容庫１ａの正面開口部の一側には、上記外扉２とは別体にした内扉が設けてある。内扉は、商品収容庫１ａの正面開口部を覆うに十分な大きさであり断熱構造を有している。この内扉は、商品収容庫１ａの正面開口部を開閉可能にする態様で当該商品収容庫１ａの開口部の一側に支承してある。なお、本実施例では、本体キャビネット１の内部に商品収容庫１ａを１つ設けた例を示しているが、当該商品収容庫１ａを本体キャビネット１の内部に複数設けてもよい。商品収容庫１ａが本体キャビネット１の内部に複数（少なくとも２つ）設けてある場合には、その内部に収容した商品Ｓを冷蔵あるいは温蔵など異なる温度でそれぞれ収容できる。
【００１９】
商品収容庫１ａの内部には、商品収納ラック３が設けてある。商品収納ラック３は、複数（図１〜図３では６個）のベース４で構成してある。ベース４は、上下方向に長手状であって本実施例では板体をなしている。このベース４は、その板面を商品収容庫１ａの正面側および背面側に向ける形態で、上端が商品収容庫１ａの天井側に支持してあり、商品収容庫１ａの正面開口部から背面側に向けた奥行き方向に同じものが複数並設してある。
【００２０】
また、各ベース４の板面（正面側）には、上下方向に沿って商品収納手段５が取り付けてある。商品収納手段５は、ベース４の上下長さに応じて上下方向に長手状に形成してあり、各種大きさの商品Ｓを専用に収納し、かつ当該商品Ｓを上下方向に整列して収納する。なお、商品収納手段５の詳細については後述する。また、各ベース４の正面側の下端には、ベンド機構６が設けてある。ベンド機構６は、商品収納手段５に収納された最下位置の商品Ｓを下側から支え、商品Ｓの搬出指令に応じて当該最下位置の商品Ｓを搬出する。この際、ベンド機構６は、最下位置の商品Ｓの直上の商品Ｓが共に搬出されないように支持する。このように、ベンド機構６は、商品収納手段５に収納された商品を下側から１つずつ切り出して搬出する。搬出された商品Ｓは、商品収容庫１ａの下側にあるシュータ１ｂを介して外扉２の商品取出口に至る。なお、上記構成の商品収納ラック３は、商品収容庫１ａの左右幅方向に同じものが複数並設してある。
【００２１】
上記各商品収納ラック３は、引出手段７を備えている。引出手段７は、商品収納ラック３を商品収容庫１ａの天井に対して支持する。この引出手段７は、固定レール７ａと、中間レール７ｂと、支持レール７ｃとで構成してある。各レール７ａ，７ｂ，７ｃは、長手状に形成してあり、固定レール７ａは中間レール７ｂを長手方向に摺動可能に支持し、中間レール７ｂは支持レール７ｃを長手方向に摺動可能に支持してある。そして、固定レール７ａが商品収容庫１ａの奥行き方向に沿って固定してある。また、支持レール７ｃには、１つの商品収納ラック３を構成する各ベース４の上端が支持してある。すなわち、図３に示すように固定レール７ａに沿って中間レール７ｂが摺動し、当該中間レール７ｂに沿って支持レール７ｃが摺動することにより、商品収納ラック３が商品収容庫１ａの正面開口部であって本体キャビネット１の正面開口部から外部に引き出されることになる。
【００２２】
以下、商品収納手段５について説明する。図４は商品収納部を示す平面図、図５は商品収納部を示す正面断面図、図６は商品収納部を示す側面図である。
【００２３】
商品収納手段５は、商品収納部５Ａとして構成してある。商品収納部５Ａは、図４〜図６に示すように上下が開放した矩形筒形をなし、上述した商品収納手段５を複数（少なくとも２つ）に上下分割した上下長さに形成してある。この商品収納部５Ａの内部は、各種大きさの商品Ｓを専用に収納し、かつ当該商品Ｓを上下方向に整列して収納できる筒内形を有している。すなわち、商品収納部５Ａは、各種大きさの商品Ｓに対応してそれぞれ用意してある。
【００２４】
商品収納部５Ａは、その内部に商品Ｓが予め整列して収納してある。商品Ｓの収納に際して、商品収納部５Ａの側部の上下位置には、収納した全商品Ｓの上下寸法よりも若干大きい間隔をおいてスリット状の通し穴５Ａａが設けてある。また、通し穴５Ａａは、商品収納部５Ａの両側部の対向する位置に設けてある。この各通し穴５Ａａには、帯体５Ａｂが挿通してある。帯体５Ａｂは、図５に示すように商品収納部５Ａの外側から全ての通し穴５Ａａに順次挿通して当該商品収納部５Ａの上下の開口を覆う態様で両端を固定してある。帯体５Ａｂの両端の固定は、商品収納部５Ａの外側で両端を互いに継ぐことが好ましい。これにより、商品収納部５Ａの上下開口部から入れた商品Ｓが、帯体５Ａｂによって上下開口から出ないように保持されて、商品収納部５Ａの内部に収納される。
【００２５】
図７は商品収納部をベースに着脱可能に取り付ける手順を示す側断面図である。商品Ｓが予め収納された商品収納部５Ａは、取付手段によってベース４に着脱可能に取り付けられる。図７（ａ）に示すように取付手段は、例えば商品収納部５Ａの背面側に設けた係止穴５Ａｃと、ベース４の正面側に設けてあり各商品収納部５Ａの係止穴５Ａｃに挿通して当該商品収納部５Ａを係止する上向きフック状の各係止片４ａとで構成してある。
【００２６】
そして、ベース４を商品収容庫１ａの外部に引出手段７を介して引き出して図７（ａ）に示す状態から、図７（ｂ）に示すようにベース４の係止片４ａを商品収納部５Ａの係止穴５Ａｃに挿通してベース４に商品収納部５Ａを取り付ける。次いで、図７（ｃ）に示すように複数の商品収納部５Ａを上下に重ねてベース４に取り付ける。この際、下側にある商品収納部５Ａの上部開口と、上側にある商品収納部５Ａの下部開口とが互いに向き合う態様となる。最後に、図７（ｄ）に示すように上下に重ねた各商品収納部５Ａの筒内を連通して当該各第１収納部５Ａに収納してある全ての商品Ｓを連ね、ベンド機構６で最下位置の商品Ｓを支える。これにより、上下に重ねた複数の商品収納部５Ａが、上下一連の商品収納手段５になる。
【００２７】
図８は商品収納部の連通手順を示す正面断面図である。ベース４に重ねて取り付けた各商品収納部５Ａを連通する際には、図８（ａ）に示すように上述した構成の商品収納部５Ａにおいて、図８（ｂ）に示すように帯体５Ａｂの両端を自由にした後、図８（ｃ）に示すように当該帯体５Ａｂを通し穴５Ａａから引き抜く。これにより、商品収納部５Ａに収納してある商品Ｓが、当該商品収納部５Ａの筒内を落下して、上下に重ねた各商品収納部５Ａ内の商品Ｓが上下一連の商品収納手段５の内部で連なる。
【００２８】
なお、上述したように商品収納部５Ａは、各種大きさの商品Ｓに対応してある。この商品収納部５Ａに対してベース４は、ペットボトル商品などの大きな商品Ｓを収納した商品収納部５Ａに合わせた左右幅間隔にすれば、上記大きな商品Ｓから缶商品などの小さな商品Ｓを収納した商品収納部５Ａを取り付けることができる。ところが、大きな商品Ｓを収納した商品収納部５Ａに合わせた左右幅間隔でベース４を設けると、自動販売機の左右幅寸法が大きくなる。本実施例では、図１に示すように大きな商品Ｓを収納した商品収納部５Ａと、小さな商品Ｓを収納した商品収納部５Ａとを交互に取り付ける左右幅間隔でベース４を設けている。この結果、自動販売機の左右幅寸法の大型化を防ぐことができる。
【００２９】
したがって、実施例１における商品収納ラック３は、同じベース４を商品収容庫１ａの内部の奥行き方向に複数並設し、これを商品収容庫１ａの内部の左右幅方向に複数並設してある。また、商品収納ラック３は、商品収容庫１ａの外部に引出手段７を介して引き出し可能にしてある。さらに、ベース４には、各種商品Ｓを専用に収納してある商品収納部５Ａが着脱可能に取り付けてある。このように、実施例１における自動販売機の商品収納ラックでは、ベース４を共通とし、商品収納部５Ａで各種大きさの商品Ｓに対応しているため、大きさの異なる各種商品Ｓを低コストで収納し適宜搬出することが可能になる。そして、商品変更時には、商品収納部５Ａを換えるだけなので作業を容易に行うことが可能になる。また、ベース４が商品収容庫１ａから引き出せるので、商品収容庫１ａの奥側へのアクセスが容易となり商品Ｓの収納および回収の他に販売トラブル時の対応やメンテナンスなどの作業性を向上することが可能になる。さらに、ベース４が商品収容庫１ａから引き出せるので、商品収容庫１ａの奥行き方向に多重化してベース４を設けて、多種多数の商品Ｓの収納が可能になる。また、自動販売機としては、商品収納部５Ａ以外が共通部品であるため、少種大量生産効果による部品コストを低減でき安価な自動販売機を提供することが可能になり、かつ商品収納ラック３やベース４の数を変えるだけで自動販売機のシリーズ化を図ることが可能になる。
【実施例２】
【００３０】
以下に説明する実施例２において、上述した実施例１と同一箇所には同一符号を付して説明を省略する。図９は別の商品収納部を示す平面図、図１０は別の商品収納部を示す正面図、図１１は別の商品収納部を示す側断面図、図１２は別の商品収納部の作業口を示す平面図である。
【００３１】
実施例２では、実施例１と商品収納手段５が異なる。この商品収納手段５は、別の商品収納部５Ｂとして構成してある。別の商品収納部５Ｂは、図９〜図１１に示すように正面側および左右両側に壁体５Ｂａを有して上下および背面側が開放した断面略コ字形をなし、ベース４の上下長さに応じて上下方向に長手状に形成してある。すなわち、別の商品収納部５Ｂは、上述した商品収納手段５の上下長さを有する。この別の商品収納部５Ｂは、背面側の開口をベース４の板面（正面側）に向け、当該ベース４に対して着脱可能にして取り付けてある。ベース４への別の商品収納部５Ｂの着脱可能な取り付けは、図には明示しないが、例えば別の商品収納部５Ｂの断面コ字形の開口端縁側に下向きフック状の係止片を設け、ベース４側に当該係止部を挿通する係止穴を設けて別の商品収納部５Ｂを係止する構成などがある。
【００３２】
そして、図９および図１１に示すように別の商品収納部５Ｂをベース４に取り付けた状態では、別の商品収納部５Ｂの壁体５Ｂａと、ベース４の板面（正面側）とで囲まれた内部空間が上下に開口し、下側の開口の位置にベンド機構６が存在する。このように構成した別の商品収納部５Ｂの内部には、各種大きさの商品Ｓを専用に収納し、かつ当該商品Ｓを上下方向に整列して収納できる。すなわち、別の商品収納部５Ｂは、各種大きさの商品Ｓに対応してそれぞれ用意してある。
【００３３】
また、図１２に示すように別の商品収納部５Ｂは、少なくとも一方の側部の壁体５Ｂａを開閉可能な蓋体として構成してある。この蓋体は、正面側の壁体５Ｂａに対して蝶番などを介して設けてある。そして、蓋体を開放することにより別の商品収納部５Ｂの内部に通じる作業口５Ｂｂが得られる。この作業口５Ｂｂは、別の商品収納部５Ｂの内部に商品Ｓを収納する際の収納口、および別の商品収納部５Ｂの内部に収納してある商品Ｓを回収する際の回収口として用いられる。
【００３４】
なお、別の商品収納部５Ｂは、上述したように背面側が開口する断面略コ字形の壁体５Ｂａを有した構成に限らない。具体的には、背面側が閉塞された矩形筒状であってもよい。この場合、別の商品収納部５Ｂをベース４に取り付けるため、上述した商品収納部５Ａをベース４に取り付ける取付手段などを採用することができる。
【００３５】
したがって、実施例２における商品収納ラック３では、商品収納手段５を構成する商品収納部５Ａと別の商品収納部５Ｂとを、ベース４に対して選択的に取り付けることができる。すなわち、商品収納部５Ａを採用する場合、商品Ｓの収納時においてベース４に商品収納部５Ａを取り付ける。また、別の商品収納部５Ｂを採用する場合には、予めベース４に別の商品収納部５Ｂを取り付けておき、当該別の商品収納部５Ｂに商品Ｓを収納する。このように、実施例２における自動販売機の商品収納ラックでは、商品Ｓが商品収納部５Ａに収納されている場合には商品収納部５Ａを採用し、商品Ｓが商品収納部５Ａに収納されていない場合には別の商品収納部５Ｂを採用する汎用性を有している。
【００３６】
また、別の商品収納部５Ｂは、少なくとも一方の側部の壁体５Ｂａに開閉可能な作業口５Ｂｂを有し、当該作業口５Ｂｂから商品Ｓの収納あるいは回収が行える。この結果、商品Ｓを上部から収納する構成では商品Ｓが起立した状態で収納されるおそれがあるが、商品Ｓを側部から収納するために安定した姿勢で商品Ｓの収納を行うことが可能になる。さらに、作業口５Ｂｂによって商品Ｓの回収を容易に行うことが可能になる。
【実施例３】
【００３７】
以下に説明する実施例３において、上述した実施例１および実施例２と同一箇所には同一符号を付して説明を省略する。図１３はベースの別の形態を示す側面図、図１４は別の形態のベースを有した自動販売機の商品収納ラックを示す側断面図、図１５はベースを商品収容庫から引き出した状態を示す側断面図である。
【００３８】
実施例３では、実施例１および実施例２とベース４が異なる。図１３〜図１５に示すように商品収納ラック３は、複数（図１４および図１５では３個）のベース４１で構成してある。ベース４１は、上下方向に長手状であって本実施例では板体をなしている。このベース４１は、その板面を商品収容庫１ａの正面側および背面側に向ける形態で、上端が商品収容庫１ａの天井側に設けた引出手段７に支持してあり、商品収容庫１ａの正面開口部から背面側に向けた奥行き方向に並設してある。すなわち、ベース４１で構成した商品収納ラック３は、商品収容庫１ａの正面開口部であって本体キャビネット１の正面開口部から外部に引き出される。
【００３９】
また、各ベース４の相反する両側である両板面（正面側および背面側）には、上下方向に沿って商品収納手段５である商品収納部５Ａ（あるいは別の商品収納部５Ｂ）が取り付けてある。商品収納手段５は、ベース４１の上下長さに応じて上下方向に長手状に形成してあり、各種大きさの商品Ｓを専用に収納し、かつ当該商品Ｓを上下方向に整列して収納する。また、各ベース４１の両板面（正面側および背面側）の下端には、ベンド機構６が設けてある。ベンド機構６は、商品収納手段５に収納された最下位置の商品Ｓを下側から支え、商品Ｓの搬出指令に応じて当該最下位置の商品Ｓを搬出する。この際、ベンド機構６は、最下位置の商品Ｓの直上の商品Ｓが共に搬出されないように支持する。このように、ベンド機構６は、商品収納手段５に収納された商品を下側から１つずつ切り出して搬出する。搬出された商品Ｓは、商品収容庫１ａの下側にあるシュータ１ｂを介して外扉２の商品取出口に至る。なお、ベース４１で構成した上記構成の商品収納ラック３は、商品収容庫１ａの左右幅方向に複数並設してある。
【００４０】
したがって、実施例３における商品収納ラック３では、相反する両側にベンド機構６を有し、その両側に商品収納手段５（商品収納部５Ａあるいは別の商品収納部５Ｂ）を着脱可能にして取り付けるベース４１を有しているので、実施例１および実施例２のベース４と比較して部品点数が少なくなる。この結果、商品収納ラック３および自動販売機の低コスト化、小型化および軽量化が可能になる。また商品収納ラック３を軽量化することにより、引出手段の定格荷重を小さくでき安価な引出手段を適用することが可能になる。
【産業上の利用可能性】
【００４１】
以上のように、本発明にかかる自動販売機の商品収納ラックは、商品の収納および回収に際して有用であり、特に、各種大きさの商品の収納および回収に適している。
【図面の簡単な説明】
【００４２】
【図１】実施例１における自動販売機の商品収納ラックを示す正面断面図である。
【図２】実施例１における自動販売機の商品収納ラックを示す側断面図である。
【図３】ベースを商品収容庫から引き出した状態を示す側断面図である。
【図４】商品収納部を示す平面図である。
【図５】商品収納部を示す正面断面図である。
【図６】商品収納部を示す側面図である。
【図７】商品収納部をベースに着脱可能に取り付ける手順を示す側断面図である。
【図８】商品収納部の連通手順を示す正面断面図である。
【図９】別の商品収納部を示す平面図である。
【図１０】別の商品収納部を示す正面図である。
【図１１】別の商品収納部を示す側断面図である。
【図１２】別の商品収納部の作業口を示す平面図である。
【図１３】ベースの別の形態を示す側面図である。
【図１４】別の形態のベースを有した自動販売機の商品収納ラックを示す側断面図である。
【図１５】ベースを商品収容庫から引き出した状態を示す側断面図である。
【符号の説明】
【００４３】
１    本体キャビネット
１ａ    商品収容庫
１ｂ    シュータ
２    外扉
３    商品収納ラック
４    ベース
４ａ    係止片
５    商品収納手段
５Ａ    商品収納部
５Ａａ    通し穴
５Ａｂ    帯体
５Ａｃ    係止穴
５Ｂ    別の商品収納部
５Ｂａ    壁体
５Ｂｂ    作業口
６    ベンド機構
７    引出手段
７ａ    固定レール
７ｂ    中間レール
７ｃ    支持レール
４１    ベース
Ｓ    商品
【図１】
2005038336.tif 000003
【図２】
2005038336.tif 000004
【図３】
2005038336.tif 000005
【図４】
2005038336.tif 000006
【図５】
2005038336.tif 000007
【図６】
2005038336.tif 000008
【図７】
2005038336.tif 000009
【図８】
2005038336.tif 000010
【図９】
2005038336.tif 000011
【図１０】
2005038336.tif 000012
【図１１】
2005038336.tif 000013
【図１２】
2005038336.tif 000014
【図１３】
2005038336.tif 000015
【図１４】
2005038336.tif 000016
【図１５】
2005038336.tif 000017